(57)【要約】【課題】収納部を大きく傾斜させることなく楽な姿勢で牽引することができる牽引走行式収納ボックスを提供することを目的とする。【解決手段】上部を開口した横長方形状の箱状の収納部１と、この収納部１の開口部に開閉自在に設けた蓋部２とから成り、収納部１の後側下部に車輪３を設け、前側にハンドル部４を設け、ハンドル部４は、対向する一対の棒状のスライド部４Ａと、この一対のスライド部４Ａ間に架設した把持部４Ｂとから成るコ字状に形成した構成とし、このスライド部４Ａのスライド移動をガイドするスライドガイド部５を、収納部１の左右の長側面部１Ａにこの収納部１の前方に向かって上がり傾斜状態に設けて、ハンドル部４が前方斜め上方向に向かって引き出されて伸長する構成とした牽引走行式収納ボックス。【選択図】図１
2016064106.tif 000002
【特許請求の範囲】
【請求項１】
上面側に開口部を有する側面視横長方形状の箱状の収納部と、この収納部の前記開口部に開閉自在に設けた蓋部とから成り、前記収納部の後側下部に車輪を設け、前側にハンドル部を設け、このハンドル部を把持して上方に持ち上げ、前記収納部の前側を接地面から浮上させて前上がり傾斜状態にして前記車輪により牽引走行移動が可能となるように構成した牽引走行式収納ボックスにおいて、前記ハンドル部は、対向する一対の棒状のスライド部と、この一対のスライド部間に架設した把持部とから成る平面視コ字状に形成した構成とし、このスライド部のスライド移動をガイドするスライドガイド部を、前記収納部の左右の長側面部にこの収納部の前方に向かって上がり傾斜状態に設けて、前記ハンドル部が前方斜め上方向に向かって引き出されて伸長するように構成したことを特徴とする牽引走行式収納ボックス。
【請求項２】
前記車輪は、前記スライド部の長手方向延長線上に設けことを特徴とする請求項１記載の牽引走行式収納ボックス。
【請求項３】
前記スライドガイド部は、前記収納部の長側面部の前側上角部と後側下角部とを結ぶ対角線上に設けたことを特徴とする請求項１，２のいずれか１項に記載の牽引走行式収納ボックス。
【請求項４】
前記ハンドル部は、夫々の前記スライド部を前記収納部の前側上角部と後側下角部とを結ぶ対角線よりも長尺な寸法にすると共に、先端側途中部を上方に向けて折曲して逆へ字状に形成し、この逆へ字状に形成した一対のスライド部の先端部間に前記把持部を架設した構成としたことを特徴とする請求項１〜３のいずれか１項に記載の牽引走行式収納ボックス。
【請求項５】
前記スライドガイド部は、前記スライド部のスライド移動をロックするスライドロック部を設けた構成としたことを特徴とする請求項１〜４のいずれか１項に記載の牽引走行式収納ボックス。
【発明の詳細な説明】
【技術分野】
【０００１】
本発明は、例えば魚釣りやキャンプ等のレジャーに携帯するクーラーボックス等の収納ボックスにおいて、特に、牽引するためのハンドル部と車輪が設けられていて、ハンドル部を把持して上方に持ち上げて前上がり傾斜状態にすることで車輪による牽引走行移動が可能となる牽引走行式収納ボックスで関するものである。
【背景技術】
【０００２】
従来、この種の牽引走行式収納ボックスとして、例えば牽引側となる収納部の前方に向かって水平にスライド伸長するハンドル部が収納部に設けられ、牽引側と反対側の収納部の後側下部に車輪が設けられ、ハンドル部を引き出して把持部を把持して上方に持ち上げることで収納部が前上がり傾斜状態となって、地面に接地した車輪により牽引走行移動が可能となるように構成されているもの（以下、従来例と称す。）がある。
【発明の概要】
【発明が解決しようとする課題】
【０００３】
しかしながら、この従来例は、引き出したハンドル部の把持部の高さ位置が低いうえに、ハンドル部の引き出し長も短いため、牽引時、ハンドル部を引き出して把持部を把持して持ち上げると収納部が大きく傾斜してしまい、収納部に収納した食品が後側に寄って押し潰されてしまったり、収納した液体が開口部隙間から漏れ出てしまうことがある。
【０００４】
そのため、牽引時は、低い姿勢になって把持した把持部の位置を下げてできるだけ収納部の傾斜状態を小さくして牽引する人もおり、このような姿勢での牽引は足腰に負担が掛かり非常に難儀なものであった。
【０００５】
本発明は、上述のような現状の問題に鑑みなされたもので、姿勢を低くしなくても、楽な姿勢で収納部を大きく傾斜させることなく牽引することができる実用性に優れた画期的な牽引走行式収納ボックスを提供することを目的とする。
【課題を解決するための手段】
【０００６】
添付図面を参照して本発明の要旨を説明する。
【０００７】
上面側に開口部を有する側面視横長方形状の箱状の収納部１と、この収納部１の前記開口部に開閉自在に設けた蓋部２とから成り、前記収納部１の後側下部に車輪３を設け、前側にハンドル部４を設け、このハンドル部４を把持して上方に持ち上げ、前記収納部１の前側を接地面から浮上させて前上がり傾斜状態にして前記車輪３により牽引走行移動が可能となるように構成した牽引走行式収納ボックスにおいて、前記ハンドル部４は、対向する一対の棒状のスライド部４Ａと、この一対のスライド部４Ａ間に架設した把持部４Ｂとから成る平面視コ字状に形成した構成とし、このスライド部４Ａのスライド移動をガイドするスライドガイド部５を、前記収納部１の左右の長側面部１Ａにこの収納部１の前方に向かって上がり傾斜状態に設けて、前記ハンドル部４が前方斜め上方向に向かって引き出されて伸長するように構成したことを特徴とする牽引走行式収納ボックスに係るものである。
【０００８】
また、前記車輪３は、前記スライド部４Ａの長手方向延長線上に設けことを特徴とする請求項１記載の牽引走行式収納ボックスに係るものである。
【０００９】
また、前記スライドガイド部５は、前記収納部１の長側面部１Ａの前側上角部６と後側下角部７とを結ぶ対角線上に設けたことを特徴とする請求項１，２のいずれか１項に記載の牽引走行式収納ボックスに係るものである。
【００１０】
また、前記ハンドル部４は、夫々の前記スライド部４Ａを前記収納部１の前側上角部６と後側下角部７とを結ぶ対角線よりも長尺な寸法にすると共に、先端側途中部を上方に向けて折曲して逆へ字状に形成し、この逆へ字状に形成した一対のスライド部４Ａの先端部間に前記把持部４Ｂを架設した構成としたことを特徴とする請求項１〜３のいずれか１項に記載の牽引走行式収納ボックスに係るものである。
【００１１】
また、前記スライドガイド部５は、前記スライド部４Ａのスライド移動をロックするスライドロック部８を設けた構成としたことを特徴とする請求項１〜４のいずれか１項に記載の牽引走行式収納ボックスに係るものである。
【発明の効果】
【００１２】
本発明は上述のように構成したから、姿勢を低くしなくても、楽な姿勢で収納部を大きく傾斜させることなく牽引することができる。
【００１３】
即ち、ハンドル部の引き出しにより把持部の高さ位置が高くなり、これにより楽な姿勢での牽引状態にするまでの把持部の持ち上げ量（移動量）が少なくなるので、収納部の傾斜が抑えられ、従来のように、収納部が大きく傾斜しないように難儀な低い姿勢で牽引しなくても、牽引する人は、楽な姿勢で収納部を大きく傾斜させることなく牽引することができる。
【００１４】
従って、難儀な低い姿勢になる必要が無くなり牽引する人の足腰に負担がかかることが無くなり、また、収納部が大きく傾斜しないので、運搬中に収納した食品が後側に寄って押し潰されてしまったり、収納した液体が収納部と蓋部との隙間から漏れ出てしまう不具合も生じない実用性に優れた画期的な牽引走行式収納ボックスとなる。
【００１５】
また、請求項２記載の発明においては、牽引時や押動時の操作性が向上する使い勝手の良い実用性に優れた牽引走行式収納ボックスとなる。
【００１６】
また、請求項３記載の発明においては、ハンドル部の引き出し長が一層長くなり、これにより、把持部の高さを一層高い位置に持ってくることができ、一層収納部の傾斜を抑えて牽引でき、しかも、ハンドル部の長さが長くなることで、てこの原理により小さな力で容易に収納部を持ち上げることができるので、一層容易に牽引することができる、一層使い勝手の良い実用性に優れた牽引走行式収納ボックスとなる。
【００１７】
また、請求項４記載の発明においては、より一層把持部の高さ位置が高くなるから、より一層収納部の傾斜を抑えて牽引することができる実用性に優れた牽引走行式収納ボックスとなる。
【００１８】
また、請求項５記載の発明においては、ハンドル部の長さを所望の長さに容易に調整できると共に、押動走行時もハンドル部が縮退することなく安定して移動させることができる使い勝手の良い実用性に優れた牽引走行式収納ボックスとなる。
【図面の簡単な説明】
【００１９】
【図１】本実施例のハンドル部を収納した状態を示す斜視図である。
【図２】本実施例のハンドル部を引き出した状態を示す斜視図である。
【図３】本実施例を示す説明正面図である。
【図４】本実施例の使用状態を示す図である。
【発明を実施するための形態】
【００２０】
好適と考える本発明の実施形態を、図面に基づいて本発明の作用を示して簡単に説明する。
【００２１】
本発明は、ハンドル部４を引き出すと、このハンドル部４は、前方斜め上方向に向かって引き出され、この引き出されたハンドル部４の先端部に設けた把持部４Ｂの高さ位置が高くなる。
【００２２】
この把持部４Ｂの高さ位置が高くなることで、従来のように、把持部４Ｂを大きく移動させて持ち上げなくても、牽引する人は、楽な牽引姿勢となることができる。
【００２３】
即ち、把持部４Ｂの持ち上げ移動量が少なくなることで収納部１の傾斜が抑えられ、従来のように、収納部１が大きく傾斜しないように難儀な低い姿勢で牽引しなくても、牽引する人は、楽な姿勢で収納部１を大きく傾斜させることなく牽引することができる。
【００２４】
これにより、牽引する人は、難儀な低い姿勢になる必要が無くなって足腰に負担がかかることが無くなり、しかも、楽な姿勢で牽引しても、収納部１が大きく傾斜しないので、運搬中に収納した食品が後側に寄って押し潰されてしまったり、収納した液体が収納部１と蓋部２との隙間から漏れ出てしまうような不具合も生じない実用性に優れた画期的な牽引走行式収納ボックスとなる。
【００２５】
また、本発明は、ハンドル部４の引き出し量を調整することで把持部４Ｂの高さ位置を牽引する人の身長や牽引する際の手の位置に対応して適切な高さに調整することもできるので、身長が低い人も高い人も夫々、各人に最適な姿勢で収納部１を大きく傾斜させることなく牽引することができる。
【００２６】
しかも、本発明は、スライドガイド部５を傾斜状態に設けることで、水平状態に設けた場合に比してスライド長（ハンドル部４の引き出し長）を長くすることができるので、ハンドル部４をより長く伸長することができることで、把持部４Ｂの高さ調整範囲が広くなり、より一層収納部１の傾きを抑えて牽引することができ、更に、このハンドル部４の長さが長くなることで、てこの原理により小さな力で容易に収納部を持ち上げることができ、楽に牽引することができる。
【００２７】
このように、本発明は、ハンドル部４の引き出し把持部４Ｂの高さ位置を高くすることで、牽引する人は、楽な姿勢で収納部１を大きく傾斜させることなく小さな力で容易に収納部１を持ち上げて牽引することができ、これにより、収納部１が大きく傾斜しないように難儀な低い姿勢で牽引する必要が無くなって、牽引する人の足腰に負担がかかることが無くなり、また、収納部１が大きく傾斜しないので、運搬中に収納した食品が後側に寄って押し潰されてしまったり、収納した液体が収納部１と蓋部２との隙間から漏れ出てしまう不具合も生じない実用性に優れた画期的な牽引走行式収納ボックスとなる。
【実施例】
【００２８】
本発明の具体的な実施例について図面に基づいて説明する。
【００２９】
本実施例は、上面側に開口部を有する側面視横長方形状の箱状の収納部１と、この収納部１の開口部に開閉自在に設けた蓋部２とから成り、収納部１の後側下部に車輪３を設け、前側にハンドル部４を設け、このハンドル部４は、対向する一対の棒状のスライド部４Ａと、この一対のスライド部４Ａ間に架設した把持部４Ｂとから成る平面視コ字状に形成した構成とし、このスライド部４Ａのスライド移動をガイドするスライドガイド部５を、収納部１の左右の長側面部１Ａにこの収納部１の前方に向かって上がり傾斜状態に設けて、ハンドル部４が前方斜め上方向に向かって引き出されて伸長する構成として、牽引時はハンドル部４を引き出し、把持部４Ｂを把持して上方に持ち上げ、収納部１の前側を接地面から浮上させて収納部１を前上がり傾斜状態にすることで車輪３により牽引走行移動が可能となるように構成した牽引走行式収納ボックスである。
【００３０】
以下、本実施例に係る構成各部について詳細に説明する。
【００３１】
本実施例のスライドガイド部５は、パイプ状のスライド部４Ａをスライド移動自在に挿通配設し得る管状に形成すると共に、収納部１の長側面部１Ａの前側上角部６と後側下角部７とを結ぶ対角線とほぼ同等の長さに設定して、この対角線上に沿って配設した構成としている。
【００３２】
即ち、本実施例は、スライドガイド部５を長側面部１Ａの前側上角部６と後側下角部７とを結ぶ対角線上に設けることで、この長側面部１Ａ上において最も長いスライドガイド部５を設けることができ、従来のスライドガイド部を水平に設けた場合に比べてスライド部４Ａのスライド長を長くして、ハンドル部４の引き出し長をより長くすることができるように構成している。
【００３３】
また、このスライドガイド部５にスライド移動自在に設けるハンドル部４は、スライド部４Ａを収納部１の長側面部１Ａの前側上角部６と後側下角部７とを結ぶ対角線よりも長い寸法に設定すると共に、先端部側途中部を上方に向けて折曲して逆へ字状に形成した構成としている。
【００３４】
具体的には、スライド部４Ａは、スライドガイド部５に収納した状態（ハンドル部４を引き出していない状態）におけるスライドガイド部５から露出した収納部１の前側上角部６付近から折曲して、このスライド部４Ａの先端部が収納部１の前側上縁部に前方に向かって突設した取手部９の上方に位置するように構成している。
【００３５】
即ち、本実施例のハンドル部４は、このスライド部４Ａの先端部側途中部を上方に向けて折曲することで、このスライド部４Ａの先端部間に架設した把持部４Ｂの位置がより高い位置に配設され、これにより、把持部４Ｂの持ち上げ量をできるだけ少なくして使用者が楽な牽引姿勢を取ることができるようにして、収納部１の傾斜状態をできるだけ抑えられるように構成している。
【００３６】
また、本実施例のハンドル部４は、このスライド部４Ａの先端部間に架設した把持部４Ｂがハンドル部４を収納した状態において、取手部９の上方に配設されるように構成して、取手部９を使用する際に邪魔にならないようにすると共に、蓋部２の開閉に干渉しない位置に配設される構成としている。
【００３７】
また、本実施例は、スライドガイド部５に、ハンドル部４のスライド移動をロックするスライドロック部８を設けた構成としている。
【００３８】
具体的には、本実施例のスライドロック部８は、スライド部４Ａに対して接離自在に設けた圧接部を有し、ロック操作によりこの圧接部をスライド部４Ａに圧接させて強大な摩擦抵抗を生じさせることにより、スライド部４Ａのスライド移動を不能にする構成としている。
【００３９】
また、本実施例は、収納部１の左右の長側面部１Ａの後側下角部７の夫々に車輪配設用凹部10を形成し、この車輪配設用凹部10に夫々車輪３を配設した構成としている。
【００４０】
即ち、本実施例は、スライド部４Ａの長手方向延長線上に車輪３を設けて、ハンドル部４の操作がダイレクトで車輪３に伝わるように構成して、牽引時や押動時の操作性が向上するように構成している。
【００４１】
また、本実施例は、収納部１の底部に複数の脚部11を設けた構成として、非牽引時はこの脚部11が接地し、車輪３は地面や床面などの接地面から浮上した状態となって容易に移動しない安定した状態で設置でき、牽引時に把持部４Ｂを持ち上げ収納部１を前上がり傾斜状態にすると脚部11が接地面から離れ、車輪３が接地面に接地して牽引走行可能な状態となるように構成している。
【００４２】
尚、本発明は、本実施例に限られるものではなく、各構成要件の具体的構成は適宜設計し得るものである。
【符号の説明】
【００４３】
１  収納部
１Ａ  長側面部
２  蓋部
３  車輪
４  ハンドル部
４Ａ  スライド部
４Ｂ  把持部
５  スライドガイド部
６  前側上角部
７  後側下角部
８  スライドロック部
【図１】
2016064106.tif 000003
【図２】
2016064106.tif 000004
【図３】
2016064106.tif 000005
【図４】
2016064106.tif 000006